(57)【要約】      （修正有）【課題】流れの緩やかな河川の水を反動形水車が発電可能な高さまで押し上げる装置と、落下した水が上掛け水車に流入されるような流路を設置し、コスト面で石油利用の火力発電に劣らないこと。  【解決手段】周囲を河川の水を引き込んだ水路に囲まれ、高さ３０ｍまで水がプールしてあるタンク９の高さ２８ｍに設けた水路１で、タンク９からタンク１へ水を高さ２７.８ｍまで流入させ、巻取機でゴム袋を２０ｍ下げて、タンク１の体積を増加させ、水位を３１ｍ以上にし、タンク１からタンク９の外縁に同心円状に設けてある、水路１７へ水を流入させる。同様にタンク２乃至８の水も水路１７へ流入させ、水路１８を通して水路１７の水を反動形水車に落下させ、落下した水を上掛け水車に流入させる流路を配列することで課題を解決している。【選択図】図６
0003126213.tif 000002
【実用新案登録請求の範囲】
【請求項１】
周囲を河川の水を引き込んだ幅２ｍの水路に囲まれ、タンク１乃至８の中心にあり、高さ２８ｍの位置で円環状の鉄管の水路１乃至８と連結し、頂上部には、一台あたり、毎秒１立方メートルの水を汲み上げる能力を持つ、空気タンクから配管された８０台の真空ポンプと接続してあるホース８０本が設置され、真空ポンプ８０台で汲み上げた水が３０ｍまでプールしてある高さ３２ｍの円筒形のタンク９と、
タンク９の高さ３１ｍの外縁に設置され、同心円状にタンク９を取り囲み、タンク１乃至８からの水の流入口である直径５ｍの円環状の鉄管の水路９乃至１６と連結され、水路９から、水路１６へ向かって、緩やかな下り勾配で、タンク９の周囲を一周して、水路９の直下の位置で、円環状の鉄管の水路１８に繋がっている水路１７と、
水路９乃至１６から円環状の鉄管の水路１７へ流入した水を、反動形水車に導くために、水路１７へ流入した水がタンク９を一周して、水路９の直下の位置から45度の角度で降下して、タンク９とタンク１の間を通って、反動形水車に接続された円環状の鉄管の水路１８と、
タンク９の周囲を幅２mで流れている水路の外側に、八角形に区画された、８分の一の土地に、それぞれ設置され、タンク９から水を流入するために、上部が２８ｍの位置、下部が２６ｍの位置で、円環状の鉄管の水路１乃至８に連通している、たて、よこ、２００ｃｍの正方形の流入口１乃至８と、タンク１乃至８から水路１７に、水を流入させるために、上記、流入口１乃至８に隣接して、上部が３１ｍの位置、下部が２６ｍの位置で、直径５ｍの円環状の鉄管の水路９乃至１６に連通している、たて、よこ、５００ｃｍの正方形の流入口９乃至１６を有し、たて１４ｍ、横１４ｍ、高さが３７ｍで、上部は開放され、四方及び底面部は連続して繋がっている鉄製の直方体の函であるタンク１乃至８と、
タンク１乃至８の外壁の流入口１乃至８の上方の３０．７ｍの位置に設けられた電磁石Ａ，２８．３ｍの位置に設けられた電磁石Ｂの吸引により、上下に２ｍ移動するＴ字形の可動鉄心１乃至８に繋がっている、左右のガイドレールの中を通って、上方、或は、下方へ２ｍ移動することで、タンク１乃至８の流入口１乃至８を開閉する、たて、よこ、２１０ｃｍの正方形のゲート１乃至８と、
タンク１乃至８の外壁の流入口９乃至１６の上方の３６．７ｍの位置に設けられた電磁石Ｃ，３１．３ｍの位置に設けられた電磁石Ｄの吸引により、上下に５ｍ移動するＴ字形の可動鉄心９乃至１６に繋がっている、左右のガイドレールの中を通って、上方、或は、下方へ５ｍ移動することで、タンク１の流入口９乃至１６を開閉する、たて、よこ、５１０ｃｍの正方形のゲート９乃至１６と、
タンク１乃至３の外側に設置されている機械室と、
巻取機や、真空ポンプの駆動源を得るために、タンク１乃至８の一つのタンク毎に、機械室に設置されている、１０MPAの圧空気を生成する２台の多段空気圧縮機１、２と、
２台の多段空気圧縮と連結されている、１台の空気タンクと、
上記、空気タンクから配管された７MPAの空気圧モーター１台と、
タンク９へ水を注入するために、毎秒１立方メートルの水を汲み上げる能力を持つ、空気タンクから配管された１０台の真空ポンプと、
空気が詰め込まれたゴム袋を巻取機で、タンク１乃至８の中へ引き入れることにより体積を増加させて水位を上げ、水位の上がったタンク１乃至８の水を、鉄管の水路９乃至１６を通して円環状の鉄管の水路１７へ流入させるために、タンク１乃至８の一つのタンク毎に、タンクの四隅の鉄柱が、高さ３７ｍから５２ｍまで上方に伸ばされ、５２ｍの高さで、四本の鉄柱の対角に位置する鉄柱間に、二本の鉄パイプが交差状に架けられ、二本の鉄パイプの交点の下に設置されているフック１と、フック１から、高さ３１ｍの位置にあるフック２と、タンクの底面部の、そらせ車を通り、タンクの内部壁面を経由して機械室にある、空気圧モーターで作動する巻取機に繋っているワイヤーと、上部は、フック１の１ｍ下から、下部は、高さ３１ｍの位置にあるフック２に結び付けられ、フック２から、底面部の、そらせ車にワイヤーで連結されている、高さ５１ｍの位置から３１ｍの位置まで吊り下げられている、円筒形の4個のゴム袋と、上記、空気圧モーターで作動する巻取機で構成されている巻取装置と、
落下した水を、高さ3mの位置にプールしてあるタンク１０と、
タンク１０の水を開放型上掛け水車に流入させる流路で構成されていることを特徴とする水力発電の貯水装置。
【請求項２】
タンク１乃至８から、円環状の鉄管の水路１７への水の流入は、4個のゴム袋を、巻取機でタンク１乃至８の中へ引き入れることにより、タンク１乃至８の水位が上昇し、タンク１乃至８の、上部が３１ｍの位置、下部が２６ｍの位置に設置してある、たて、よこ、５００ｃｍの正方形の流入口９乃至１６に、一端が連通し、他端が円環状の鉄管の水路１７と連結されている直径５ｍの円環状の鉄管の水路９乃至１６を通って水路１７へ流入することを特徴とする請求項１に記載の水力発電の貯水装置。
【請求項３】
タンク１乃至８から、円環状の鉄管の水路１７への水の流入は、タンク１の水路９への流入開始３０秒後、タンク２の水路１０への流入が開始され、以降、タンク８まで順番に3０秒づつ、毎秒８０立方メートルの水が合計４分間流入し、４分経過して、タンク８の水路１６への流入が終了すると、タンク１の水路９への流入が再開され、タンク１乃至８からの水は、切れ目なく水路１７に導かれ、水路１７へ流入された水は、水路９から、水路１６へ向かって、緩やかな下り傾斜で流れ、同心円状にタンク９を一周して、水路９の直下の位置から45度の角度で降下して、タンク９とタンク１の間を通る円環状の鉄管の水路１８を経由して、25ｍ下の反動形水車に落下することを特徴とする請求項１に記載の水力発電の貯水装置。
【考案の詳細な説明】
【技術分野】
【０００１】
本考案は水力発電の貯水装置に関するものである。
【背景技術】
【０００２】
京都議定書の約束により、わが国はCO2の削減が義務付けられている。
水力発電は、クリーンエネルギーであるにも関わらず、その設置は、流れの緩やかな場所には少なく、コスト面で石油利用の火力発電に劣るため積極的に行われていなかった。  
【考案の開示】
【考案が解決しようとする課題】
【０００３】
そこでこの考案は、流れの緩やかな場所にある、河川の水を反動形水車が発電可能な高さまで押し上げる装置と、落下した水が開放型上掛け水車に流入されるような流路を設置し、コスト面で石油利用の火力発電に劣らないことを課題とする。  
【課題を解決するための手段】
【０００４】
本装置は周囲を河川の水を引き込んだ幅２ｍの水路に囲まれ、タンク１乃至８の中心にあり、高さ２８ｍの位置で円環状の鉄管の水路１乃至８と連結し、頂上部には、一台あたり、毎秒１立方メートルの水を汲み上げる能力を持つ、空気タンクから配管された８０台の真空ポンプと接続してあるホース８０本が設置され、真空ポンプ８０台で汲み上げた水が３０ｍまでプールしてある高さ３２ｍの円筒形のタンク９と、
タンク９の高さ３１ｍの外縁に設置され、同心円状にタンク９を取り囲み、タンク１乃至８からの水の流入口である直径５ｍの円環状の鉄管の水路９乃至１６と連結され、水路９から、水路１６へ向かって、緩やかな下り勾配で、タンク９の周囲を一周して、水路９の直下の位置で、円環状の鉄管の水路１８に繋がっている水路１７と、
水路９乃至１６から円環状の鉄管の水路１７へ流入した水を、反動形水車に導くために、水路１７へ流入した水がタンク９を一周して、水路９の直下の位置から45度の角度で降下して、タンク９とタンク１の間を通って、反動形水車に接続された円環状の鉄管の水路１８と、
タンク９の周囲を幅２mで流れている水路の外側に、八角形に区画された、８分の一の土地に、それぞれ設置され、タンク９から水を流入するために、上部が２８ｍの位置、下部が２６ｍの位置で、円環状の鉄管の水路１乃至８に連通している、たて、よこ、２００ｃｍの正方形の流入口１乃至８と、タンク１乃至８から水路１７に、水を流入させるために、上記、流入口１乃至８に隣接して、上部が３１ｍの位置、下部が２６ｍの位置で、直径５ｍの円環状の鉄管の水路９乃至１６に連通している、たて、よこ、５００ｃｍの正方形の流入口９乃至１６を有し、たて１４ｍ、横１４ｍ、高さが３７ｍで、上部は開放され、四方及び底面部は連続して繋がっている鉄製の直方体の函であるタンク１乃至８と、
タンク１乃至８の外壁の流入口１乃至８の上方の３０．７ｍの位置に設けられた電磁石Ａ，２８．３ｍの位置に設けられた電磁石Ｂの吸引により、上下に２ｍ移動するＴ字形の可動鉄心１乃至８に繋がっている、左右のガイドレールの中を通って、上方、或は、下方へ２ｍ移動することで、タンク１乃至８の流入口１乃至８を開閉する、たて、よこ、２１０ｃｍの正方形のゲート１乃至８と、
タンク１乃至８の外壁の流入口９乃至１６の上方の３６．７ｍの位置に設けられた電磁石Ｃ，３１．３ｍの位置に設けられた電磁石Ｄの吸引により、上下に５ｍ移動するＴ字形の可動鉄心９乃至１６に繋がっている、左右のガイドレールの中を通って、上方、或は、下方へ５ｍ移動することで、タンク１の流入口９乃至１６を開閉する、たて、よこ、５１０ｃｍの正方形のゲート９乃至１６と、
タンク１乃至３の外側に設置されている機械室と、
巻取機や、真空ポンプの駆動源を得るために、タンク１乃至８の一つのタンク毎に、機械室に設置されている、１０MPAの圧空気を生成する２台の多段空気圧縮機１、２と、
２台の多段空気圧縮と連結されている、１台の空気タンクと、
上記、空気タンクから配管された７MPAの空気圧モーター１台と、
タンク９へ水を注入するために、毎秒１立方メートルの水を汲み上げる能力を持つ、空気タンクから配管された１０台の真空ポンプと、
空気が詰め込まれたゴム袋を巻取機で、タンク１乃至８の中へ引き入れることにより体積を増加させて水位を上げ、水位の上がったタンク１乃至８の水を、鉄管の水路９乃至１６を通して円環状の鉄管の水路１７へ流入させるために、タンク１乃至８の一つのタンク毎に、タンクの四隅の鉄柱が、高さ３７ｍから５２ｍまで上方に伸ばされ、５２ｍの高さで、四本の鉄柱の対角に位置する鉄柱間に、二本の鉄パイプが交差状に架けられ、二本の鉄パイプの交点の下に設置されているフック１と、フック１から、高さ３１ｍの位置にあるフック２と、タンクの底面部の、そらせ車を通り、タンクの内部壁面を経由して機械室にある、空気圧モーターで作動する巻取機に繋っているワイヤーと、上部は、フック１の１ｍ下から、下部は、高さ３１ｍの位置にあるフック２に結び付けられ、フック２から、底面部の、そらせ車にワイヤーで連結されている、高さ５１ｍの位置から３１ｍの位置まで吊り下げられている、円筒形の4個のゴム袋と、上記、空気圧モーターで作動する巻取機で構成されている巻取装置と、
落下した水を、高さ3mの位置にプールしてあるタンク１０と、
タンク１０の水を開放型上掛け水車に流入させる流路で構成されている。
タンク９への貯水は、タンク１乃至８のゲート１乃至８及びゲート９乃至１６が閉ざされた状態になっていることを確認後、タンク９の高さ３０ｍの地点まで、８０台の真空ポンプにより、水路の水が貯水され、貯水が確認されると、流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開き、タンク９の水は円環状の鉄管の水路１を通ってタンク１へ流入する。
タンク１に貯水された水が２７．８ｍまで上がってくると、電磁石Ｂのスイッチがオンになり、タンク１の外壁の流入口１の上方に位置する部分に設けられた、Ｔ字形の可動鉄心１が電磁石Ｂに吸引されて、下方へ２ｍ移動し、可動鉄心１に繋がっているゲート１が、ゲート１の左右両端に設けられているガイドレールの中を通って、下方へ２ｍ移動し、流入口１が閉められ、円環状の水路１からの流入は、ストップする。
同様にして、タンク９の水はタンク２から順番にタンク８まで流入し、８０台の真空ポンプは、引き続きタンク９へ水を吸い上げ、タンク１乃至８の水位は２７．８ｍ、タンク９の水位を３０ｍの状態にする。
機械室の空気圧モーターに接続されている巻取機１のスイッチをオンにして、ゴム袋４個を、タンク１の中に毎秒５２ｃｍのスピードで２０ｍ引き下げると、タンク１の体積は、毎秒８０立方メートル増え、引き下げが終了すると、３０７７立方メートルの体積が増える。
ゴム袋４個を沈めて、８.５秒経過するとゴム袋は４.１ｍ沈み、タンク１の水位は３１ｍになる。
タンク１の水位が３１ｍであることが確認されると、電磁石Ｃのスイッチがオンになり、Ｔ字形の可動鉄心９が電磁石Ｃに吸引されて、上方へ５ｍ移動し、可動鉄心９に繋がっているゲート９が、ゲート９の左右両端に設けられているガイドレールの中を通って、上方へ５ｍ移動し、流入口９が開けられ、ゴム袋４個の沈下開始８.５秒以降のゴム袋の沈下による増加した体積に等しい毎秒８０立方メートルの水が、３０秒間、上部が３１ｍの位置、下部が２６ｍの部分で連結された円環状の鉄管の水路９に流入し、水路９の水はタンク９の外縁に同心円状に設けてある、円環状の鉄管の水路１７に流入する。
同様にタンク２に設置されたゴム袋４個をタンク２の中に沈める作業を行い、タンク８まで順に行われるが、一つのタンクの流入運動のサイクルは４分間隔で、各々のスタートは3０秒遅れにしてある。
即ち、タンク１のゴム袋４個をタンク１の中に沈めて3０秒遅れて、タンク２のゴム袋が沈められる。
タンク８まで順次3０秒遅れで沈められ、タンク８の作業の後には、タンク１の作業が再開され、各々のタンクから、タンク９の外縁に同心円状に設けてある、円環状の鉄管の水路１７への流入は、切れ目なく続き、８つのタンクから、円環状の鉄管の水路１７へは、毎秒８０立方メートルの水が流入している。
タンク１の中に、ゴム袋４個が引き下げられ始めて３８.５秒後、電磁石Ｄのスイッチがオンになり、Ｔ字形の可動鉄心９が電磁石Ｄに吸引されて、下方へ５ｍ移動し、可動鉄心９に繋がっているゲート９が、ゲート９の左右両端に設けられているガイドレールの中を通って、下方へ５ｍ移動し、流入口９が閉ざされると共に、ゴム袋４個は、毎秒５２ｃｍのスピードで引き上げられ、タンク１の水位は、低下し始める。
ゴム袋４個が完全に２０ｍ引き上げられるとタンク１の水位は、１５.７ｍだけ低下し、１５.３ｍとなる。
ゴム袋４個が引き上げられ始めて３８.５秒後、流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開けられ、タンク９の水を円環状の鉄管の水路１を経由して、タンク１へ流入させ、タンク１の水位が２７.８ｍになったことを確認後、電磁石Ｂのスイッチがオンになり、流入口１が閉められ、円環状の水路１からの流入は、ストップする。
前回のゴム袋を引き下げた作業の4分後に、ゴム袋を引き下げる循環運動が開始される。
尚、前述の８０台の真空ポンプは、貯水路の水をタンク９に吸い上げており、タンク９の水位は３０ｍになるように、コンピューターで監視されている。
タンク９の外縁に同心円状に設けてある、円環状の鉄管の水路１７は、同心円状にタンク９を取り囲み、鉄管の水路９から、水路１６へ向かって、緩やかな下り勾配で、設置されている。
円環状の水路１７へ流入した水は、水路９から、水路１６へ向かって、緩やかな下り傾斜で流れ、同心円状にタンク９を一周して、水路９の直下の位置から45度の角度で降下して、タンク９とタンク１の間を通る反動形水車に接続された円環状の鉄管の水路１８を通って、25ｍ下の反動形水車に導かれる。
水路１７から、円環状の水路１８を通って、25ｍ下の反動形水車に導かれる水の量は、1秒間に８０立方メートルであり、約３０秒間流入する。
タンク１の流入開始３０秒後、タンク２の流入が開始され、以降、タンク８まで順番に3０秒づつ、毎秒８０立方メートルの水が合計４分間流入し、４分経過して、タンク８の流入が終了すると、タンク１の流入が再開され、タンク１乃至８からの水は、切れ目なく水路１７に導かれ、毎秒８０立方メートルに流量制限され放出された水は、タンク９から45度の角度で降下している、タンク９とタンク１の間を通る円環状の鉄管の水路１８を通って、25ｍ下の反動形水車に落下する。
この時の発電量の推定値は、ロス率の合計を３３％として、9.8Ｇ*２５ｍ*８０ｍ３/ｓ*６７％
＝１３，１３２ＫＷであり、約１３、０００ＫＷの発電は可能である。
反動形水車を通過した水は、高さ3mのタンク１０にプールされ開放型上掛け水車を発電させる流路に流入され、開放型上掛け水車を回転させることで問題点を解決している。
【考案の効果】
【０００５】
本考案は、空気圧を利用して、タンク１乃至８にゴム袋４個を巻取機で下げ、タンク１乃至８の水位を上昇させ、水をタンク１乃至８から円環状の鉄管の水路１７へ押し出し、反動形水車に落下させて発電し、落下した水を開放型上掛け水車に流入させ発電しているので、コストが安価であることは勿論、発生する電力はクリーンエネルギーなので、CO2は発生せず環境浄化に役立つ。
【考案を実施するための最良の形態】
【０００６】
本装置は、以下の設備で構成されている。
周囲を河川の水を引き込んだ幅２ｍの水路に囲まれ、タンク１乃至８の中心にあり、高さ２８ｍの位置で円環状の鉄管の水路１乃至８と連結し、頂上部には、一台あたり、毎秒１立方メートルの水を汲み上げる能力を持つ、空気タンクから配管された８０台の真空ポンプと接続してあるホース８０本が設置され、真空ポンプ８０台で汲み上げた水が３０ｍまでプールしてある高さ３２ｍの円筒形のタンク９と、
タンク９の高さ３１ｍの外縁に設置され、同心円状にタンク９を取り囲み、タンク１乃至８からの水の流入口である直径５ｍの円環状の鉄管の水路９乃至１６と連結され、水路９から、水路１６へ向かって、緩やかな下り勾配で、タンク９の周囲を一周して、水路９の直下の位置で、円環状の鉄管の水路１８に繋がっている水路１７と、
水路９乃至１６から円環状の鉄管の水路１７へ流入した水を、反動形水車に導くために、水路１７へ流入した水がタンク９を一周して、水路９の直下の位置から45度の角度で降下して、タンク９とタンク１の間を通って、反動形水車に接続された円環状の鉄管の水路１８と、
タンク９の周囲を幅２mで流れている水路の外側に、八角形に区画された、８分の一の土地に、それぞれ設置され、タンク９から水を流入するために、上部が２８ｍの位置、下部が２６ｍの位置で、円環状の鉄管の水路１乃至８に連通している、たて、よこ、２００ｃｍの正方形の流入口１乃至８と、タンク１乃至８から水路１７に、水を流入させるために、上記、流入口１乃至８に隣接して、上部が３１ｍの位置、下部が２６ｍの位置で、直径５ｍの円環状の鉄管の水路９乃至１６に連通している、たて、よこ、５００ｃｍの正方形の流入口９乃至１６を有し、たて１４ｍ、横１４ｍ、高さが３７ｍで、上部は開放され、四方及び底面部は連続して繋がっている鉄製の直方体の函であるタンク１乃至８と、
タンク１乃至８の外壁の流入口１乃至８の上方の３０．７ｍの位置に設けられた電磁石Ａ，２８．３ｍの位置に設けられた電磁石Ｂの吸引により、上下に２ｍ移動するＴ字形の可動鉄心１乃至８に繋がっている、左右のガイドレールの中を通って、上方、或は、下方へ２ｍ移動することで、タンク１乃至８の流入口１乃至８を開閉する、たて、よこ、２１０ｃｍの正方形のゲート１乃至８と、
タンク１乃至８の外壁の流入口９乃至１６の上方の３６．７ｍの位置に設けられた電磁石Ｃ，３１．３ｍの位置に設けられた電磁石Ｄの吸引により、上下に５ｍ移動するＴ字形の可動鉄心９乃至１６に繋がっている、左右のガイドレールの中を通って、上方、或は、下方へ５ｍ移動することで、タンク１の流入口９乃至１６を開閉する、たて、よこ、５１０ｃｍの正方形のゲート９乃至１６と、
タンク１乃至３の外側に設置されている機械室と、
巻取機や、真空ポンプの駆動源を得るために、タンク１乃至８の一つのタンク毎に、機械室に設置されている、１０MPAの圧空気を生成する２台の多段空気圧縮機１、２と、
２台の多段空気圧縮と連結されている、１台の空気タンクと、
上記、空気タンクから配管された７MPAの空気圧モーター１台と、
タンク９へ水を注入するために、毎秒１立方メートルの水を汲み上げる能力を持つ、空気タンクから配管された１０台の真空ポンプと、
空気が詰め込まれたゴム袋を巻取機で、タンク１乃至８の中へ引き入れることにより体積を増加させて水位を上げ、水位の上がったタンク１乃至８の水を、鉄管の水路９乃至１６を通して円環状の鉄管の水路１７へ流入させるために、タンク１乃至８の一つのタンク毎に、タンクの四隅の鉄柱が、高さ３７ｍから５２ｍまで上方に伸ばされ、５２ｍの高さで、四本の鉄柱の対角に位置する鉄柱間に、二本の鉄パイプが交差状に架けられ、二本の鉄パイプの交点の下に設置されているフック１と、フック１から、高さ３１ｍの位置にあるフック２と、タンクの底面部の、そらせ車を通り、タンクの内部壁面を経由して機械室にある、空気圧モーターで作動する巻取機に繋っているワイヤーと、上部は、フック１の１ｍ下から、下部は、高さ３１ｍの位置にあるフック２に結び付けられ、フック２から、底面部の、そらせ車にワイヤーで連結されている、高さ５１ｍの位置から３１ｍの位置まで吊り下げられている、円筒形の4個のゴム袋と、上記、空気圧モーターで作動する巻取機で構成されている巻取装置と、
落下した水を、高さ3mの位置にプールしてあるタンク１０と、
タンク１０の水を開放型上掛け水車に流入させる流路で構成されている。
本考案は、二段階で構成され１３，０００ＫＷの電力を発生させる構想である。
第一段階は、タンク９からタンク１乃至８に水を流入させ、空気が詰め込まれたゴム袋を巻取機で、タンク１乃至８の中へ引き入れることにより、タンク１乃至８の水位を上昇させ、高さ３１ｍになるとタンク１乃至８から順番に円環状の鉄管の水路１７へ水を流入させ、円環状の鉄管の水路１７と連結してある、円環状の鉄管の水路１８を通して反動形水車に落下させる段階であり、第二段階は落下した水を、高さ3mのタンク１０にプールし、開放型上掛け水車に流入させる段階である。
〔図１〕乃至〔図１０〕を参照して、本考案の実施の形態を説明する。
〔図１〕は、貯水装置の全体図の概念図である。
〔図２〕は、高さが３７ｍのタンク１乃至８の平面図である。
〔図３〕は、電磁石Ａ、Ｂで開閉するゲート１の側面図である。
〔図４〕は、タンク１に連結されている円環状の鉄管の水路１と，タンク１と円環状の鉄管の水路１７に連結されている円環状の鉄管の水路９の側面図である。
〔図５〕は、フック１と、4個のゴム袋を吊り下げ、タンク１の底面部に設けた、そらせ車の側面図である。
〔図６〕は、ゴム袋４個を、タンク１の中に沈めると体積が増加し、タンク１の水が円環状の鉄管の水路１７へ流入される概念図である。
〔図７〕は、タンク１乃至８から3０秒遅れで順番にタンク９と、円環状の鉄管の水路１７へ水が流入される概念図である。
〔図８〕は、タンク９の外縁に、同心円状に設置された円環状の鉄管の水路１７の平面図である。
〔図９〕は、同心円状にタンク９を一周して、水路１７の直下の位置から反動形水車に接続された円環状の鉄管の水路１８の概念図である。
〔図１０〕は、落下した水を開放型上掛け水車に流入させるように流路が配列されている正面図である。
タンク９への貯水は、タンク１乃至８のゲート１乃至８及びゲート９乃至１６が閉ざされた状態になっていることを確認後、タンク９の高さ３０ｍの地点まで、８０台の真空ポンプにより、水路の水が、高さ３２ｍ、半径２０ｍの円筒形のタンク９の高さ３０ｍの地点まで吸い上げられ貯水される。
タンク９の高さ３０ｍの地点までの貯水量は、３７，６８０立方メートルである。
〔図１〕は、貯水装置の全体図の概念図であり、〔図２〕は、河川敷に設置されている八角形に区画配分された８分の一のそれぞれの土地に設置されている、高さが３７ｍのタンク１乃至８の平面図である。
タンク９の貯水完了が確認されると、貯水されたタンク９の水はタンク１へ流入され、８０台の真空ポンプは、引き続きタンク９へ水を吸い上げ貯水している。
タンク１乃至８への水の流入を説明する。
今、タンク１の内部は空である。
流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開き、タンク９の水は円環状の鉄管の水路１を通ってタンク１へ流入する。
タンク１と連結してある円環状の鉄管の水路１は、高さ２８ｍにあるのでタンク１には、５、４８８立方メートルの水が流入可能である。
タンク１に貯水された水が２７．８ｍまで上がってくると、電磁石Ｂのスイッチがオンになり、タンク１の外壁の流入口１の上方に位置する部分に設けられた、Ｔ字形の可動鉄心１が電磁石Ｂに吸引されて、下方へ２ｍ移動し、可動鉄心１に繋がっているゲート１が、ゲート１の左右両端に設けられているガイドレールの中を通って、下方へ２ｍ移動し、流入口１が閉められ、円環状の水路１からの流入は、ストップする。
〔図３〕は、タンク１の外壁の流入口１の上方に位置する部分に設けられた、電磁石Ａ、Ｂで開閉するゲート１の側面図である。
タンク１の水位が、２７．８ｍで、タンク９の水が高さ３０ｍの地点まで貯水されていることが確認されると、タンク２にタンク９から水を流入させ、タンク２の水位を２７．８ｍとし、８０台の真空ポンプにより、タンク９には３０ｍまで貯水する。
同様にして、タンク９の水はタンク２から順番にタンク８まで流入し、８０台の真空ポンプは、引き続きタンク９へ水を吸い上げ、タンク１乃至８の水位は２７．８ｍ、タンク９の水位を３０ｍの状態にする。
〔図４〕は、タンク１に連結されている円環状の鉄管の水路１と，タンク１と，タンク９の外縁に、円環状の鉄管の水路１７に連結されている円環状の鉄管の水路９の側面図である。
以上がタンク９の水を円環状の鉄管の水路１乃至８を通して、タンク１乃至８へ流入させる説明である。
タンク１の水を、タンク９の外縁に、同心円状に設けられた円環状の鉄管の水路１７に流入するメカニズムを説明する。
タンク１のゲート９が閉ざされた状態になっていることを確認後、機械室の空気圧モーターに接続されている巻取機１のスイッチをオンにして、ゴム袋４個を、タンク１の中に毎秒５２ｃｍのスピードで２０ｍ引き下げると、タンク１の体積は、毎秒８０立方メートル増え、引き下げが終了すると、３０７７立方メートルの体積が増える。
ゴム袋４個を沈めて、８.５秒経過するとゴム袋は４.１ｍ沈み、タンク１の水位は３１ｍになる。
タンク１の水位が３１ｍであることが確認されると、電磁石Ｃのスイッチがオンになり、Ｔ字形の可動鉄心９が電磁石Ｃに吸引されて、上方へ５ｍ移動し、可動鉄心９に繋がっているゲート９が、ゲート９の左右両端に設けられているガイドレールの中を通って、上方へ５ｍ移動し、流入口９が開けられ、ゴム袋４個の沈下開始８.５秒以降のゴム袋の沈下による増加した体積に等しい毎秒８０立方メートルの水が、３０秒間、上部が３１ｍの位置、下部が２６ｍの部分で連結された円環状の鉄管の水路９に流入し、水路９の水はタンク９の外縁に同心円状に設けてある、円環状の鉄管の水路１７に流入する。
〔図５〕は、タンク１の頭上に設置されているフック１と、途中に、空気が詰め込まれた4個のゴム袋を吊り下げ、タンク１の底面部に設けた、そらせ車の側面図であり、〔図６〕は、ゴム袋４個を、タンク１の中に沈めると体積が増加し、タンク１の水が円環状の鉄管の水路１７へ流入される概念図である。
タンク１から円環状の鉄管の水路１７に流入後、3０秒経過すると、ゴム袋の沈下は完了する。
同様にタンク２に設置されたゴム袋４個をタンク２の中に沈める作業を行い、タンク８まで順に行われるが、一つのタンクの流入運動のサイクルは４分間隔で、各々のスタートは3０秒遅れにしてある。
即ち、タンク１のゴム袋４個をタンク１の中に沈めて3０秒遅れて、タンク２のゴム袋が沈められる。
タンク８まで順次3０秒遅れで沈められ、タンク８の作業の後には、タンク１の作業が再開され、各々のタンクから、タンク９の外縁に同心円状に設けてある、円環状の鉄管の水路１７への流入は、切れ目なく続き、８つのタンクから、円環状の鉄管の水路１７へは、毎秒８０立方メートル、４分間に１９，２００立方メートルの水が流入していることになる。
〔図７〕は、タンク１乃至８から3０秒遅れで順番に、円環状の鉄管の水路１７へ水が流入される概念図  である。
以上がタンク１の水を、タンク９の外縁に、同心円状に設けられた円環状の鉄管の水路１７に流入するメカニズムであるが、タンク１に再度水を貯水するメカニズムを説明する。
タンク１の中に、ゴム袋４個が引き下げられ始めて３８.５秒後、電磁石Ｄのスイッチがオンになり、Ｔ字形の可動鉄心９が電磁石Ｄに吸引されて、下方へ５ｍ移動し、可動鉄心９に繋がっているゲート９が、ゲート９の左右両端に設けられているガイドレールの中を通って、下方へ５ｍ移動し、流入口９が閉ざされると共に、ゴム袋４個は、毎秒５２ｃｍのスピードで引き上げられ、タンク１の水位は、低下し始める。
ゴム袋４個が完全に２０ｍ引き上げられるとタンク１の水位は、１５.７ｍだけ低下し、１５.３ｍとなる。
ゴム袋４個が引き上げられ始めて３８.５秒後、流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開けられ、タンク９の水を円環状の鉄管の水路１を経由して、タンク１へ流入させ、タンク１の水位が２７.８ｍになったことを確認後、電磁石Ｂのスイッチがオンになり、流入口１が閉められ、円環状の水路１からの流入は、ストップする。
前回のゴム袋を引き下げた作業の4分後に、ゴム袋を引き下げる循環運動が開始される。
尚、前述の８０台の真空ポンプは、貯水路の水をタンク９に吸い上げており、タンク９の水位は３０ｍになるように、コンピューターで監視されている。
以上が、タンク１に再度水を貯水するメカニズムである。
タンク１の水が円環状の鉄管の水路１７へ流入して、反動形水車に導かれるメカニズムを説明する。
タンク９の外縁に同心円状に設けてある、円環状の鉄管の水路１７は、同心円状にタンク９を取り囲み、鉄管の水路９から、水路１６へ向かって、緩やかな下り勾配で、設置されている。
円環状の水路１７へ流入した水は、水路９から、水路１６へ向かって、緩やかな下り傾斜で流れ、同心円状にタンク９を一周して、水路９の直下の位置から45度の角度で降下して、タンク９とタンク１の間を通る反動形水車に接続された円環状の鉄管の水路１８を通って、25ｍ下の反動形水車に導かれ、1秒間に８０立方メートルの水の量を、約３０秒間落下させる。
タンク１の流入開始３０秒後、タンク２の流入が開始され、以降、タンク８まで順番に3０秒づつ、毎秒８０立方メートルの水が合計４分間流入し、４分経過して、タンク８の流入が終了すると、タンク１の流入が再開され、タンク１乃至８からの水は、切れ目なくに水路１７に導かれ、毎秒８０立方メートルに流量制限され放出された水は、タンク９から45度の角度で降下している、タンク９とタンク１の間を通る円環状の鉄管の水路１８を通って、25ｍ下の反動形水車に落下する。
〔図８〕は、タンク９の外縁に、同心円状に設置された円環状の鉄管の水路１７の平面図である。
この時の発電量の推定値は、ロス率の合計を３３％として、9.8Ｇ*２５ｍ*８０ｍ３/ｓ*６７％
＝１３，１３２ＫＷであり、約１３、０００ＫＷの発電は可能である。
〔図９〕は、水路１７が、同心円状にタンク９を一周して、水路９の直下の位置で、タンク９とタンク１の間を通って、円環状の鉄管の水路１８に接続されている概念図である。
反動形水車を通過した水は高さ3mのタンク１０にプールされ開放型上掛け水車を発電させる流路に流入され、開放型上掛け水車を発電させる。
〔図１０〕は、落下した水を開放型上掛け水車に流入させるように流路が配列されている正面図  である。
【実施例１】
【０００７】
従来の水力発電所は、都市部の近郊には殆んど設置されなかった。河口に近づくと河川の流れが緩やかになり、落差のある地形が少ないためである。本考案は、都市部の近郊に設置出来る利点がある。
従って、本装置を都市部の近郊に設置すれば、消費場所に近いので送電ロスが少なくなり、火力発電に置き換えれば、火力発電により発生するCO2削減に役立つ。
【実施例２】
【０００８】
本考案は、河川の水で発電したが、他の実施形態では、湖沼の水、海水、浄水場の水で発電させても良い。
【実施例３】
【０００９】
本装置は、以下の設備で構成されている。
周囲を河川の水を引き込んだ幅２ｍの水路に囲まれ、タンク１乃至８の中心にあり、高さ２８ｍの位置で円環状の鉄管の水路１乃至８と連結し、頂上部には、一台あたり、毎秒１立方メートルの水を汲み上げる能力を持つ、空気タンクから配管された８０台の真空ポンプと接続してあるホース８０本が設置され、真空ポンプ８０台で汲み上げた水が３０ｍまでプールしてある高さ３２ｍの円筒形のタンク９と、
タンク９の高さ３１ｍの外縁に設置され、同心円状にタンク９を取り囲み、タンク１乃至８からの水の流入口である直径５ｍの円環状の鉄管の水路９乃至１６と連結され、水路９から、水路１６へ向かって、緩やかな下り勾配で、タンク９の周囲を一周して、水路９の直下の位置で、円環状の鉄管の水路１８に繋がっている水路１７と、
水路９乃至１６から円環状の鉄管の水路１７へ流入した水を、反動形水車に導くために、水路１７へ流入した水がタンク９を一周して、水路９の直下の位置から45度の角度で降下して、タンク９とタンク１の間を通って、反動形水車に接続された円環状の鉄管の水路１８と、
タンク９の周囲を幅２mで流れている水路の外側に、八角形に区画された、８分の一の土地に、それぞれ設置され、タンク９から水を流入するために、上部が２８ｍの位置、下部が２６ｍの位置で、円環状の鉄管の水路１乃至８に連通している、たて、よこ、２００ｃｍの正方形の流入口１乃至８と、タンク１乃至８から水路１７に、水を流入させるために、上記、流入口１乃至８に隣接して、上部が３１ｍの位置、下部が２６ｍの位置で、直径５ｍの円環状の鉄管の水路９乃至１６に連通している、たて、よこ、５００ｃｍの正方形の流入口９乃至１６を有し、たて１４ｍ、横１４ｍ、高さが３７ｍで、上部は開放され、四方及び底面部は連続して繋がっている鉄製の直方体の函であるタンク１乃至８と、
タンク１乃至８の外壁の流入口１乃至８の上方の３０．７ｍの位置に設けられた電磁石Ａ，２８．３ｍの位置に設けられた電磁石Ｂの吸引により、上下に２ｍ移動するＴ字形の可動鉄心１乃至８に繋がっている、左右のガイドレールの中を通って、上方、或は、下方へ２ｍ移動することで、タンク１乃至８の流入口１乃至８を開閉する、たて、よこ、２１０ｃｍの正方形のゲート１乃至８と、
タンク１乃至８の外壁の流入口９乃至１６の上方の３６．７ｍの位置に設けられた電磁石Ｃ，３１．３ｍの位置に設けられた電磁石Ｄの吸引により、上下に５ｍ移動するＴ字形の可動鉄心９乃至１６に繋がっている、左右のガイドレールの中を通って、上方、或は、下方へ５ｍ移動することで、タンク１の流入口９乃至１６を開閉する、たて、よこ、５１０ｃｍの正方形のゲート９乃至１６と、
タンク１乃至３の外側に設置されている機械室と、
巻取機や、真空ポンプの駆動源を得るために、タンク１乃至８の一つのタンク毎に、機械室に設置されている、１０MPAの圧空気を生成する２台の多段空気圧縮機１、２と、
２台の多段空気圧縮と連結されている、１台の空気タンクと、
上記、空気タンクから配管された７MPAの空気圧モーター１台と、
タンク９へ水を注入するために、毎秒１立方メートルの水を汲み上げる能力を持つ、空気タンクから配管された１０台の真空ポンプと、
空気が詰め込まれたゴム袋を巻取機で、タンク１乃至８の中へ引き入れることにより体積を増加させて水位を上げ、水位の上がったタンク１乃至８の水を、鉄管の水路９乃至１６を通して円環状の鉄管の水路１７へ流入させるために、タンク１乃至８の一つのタンク毎に、タンクの四隅の鉄柱が、高さ３７ｍから５２ｍまで上方に伸ばされ、５２ｍの高さで、四本の鉄柱の対角に位置する鉄柱間に、二本の鉄パイプが交差状に架けられ、二本の鉄パイプの交点の下に設置されているフック１と、フック１から、高さ３１ｍの位置にあるフック２と、タンクの底面部の、そらせ車を通り、タンクの内部壁面を経由して機械室にある、空気圧モーターで作動する巻取機に繋っているワイヤーと、上部は、フック１の１ｍ下から、下部は、高さ３１ｍの位置にあるフック２に結び付けられ、フック２から、底面部の、そらせ車にワイヤーで連結されている、高さ５１ｍの位置から３１ｍの位置まで吊り下げられている、円筒形の4個のゴム袋と、上記、空気圧モーターで作動する巻取機で構成されている巻取装置と、
落下した水を、高さ3mの位置にプールしてあるタンク１０と、
タンク１０の水を開放型上掛け水車に流入させる流路で構成されている。
本考案は、二段階で構成され１３，０００ＫＷの電力を発生させる構想である。
第一段階は、タンク９からタンク１乃至８に水を流入させ、空気が詰め込まれたゴム袋を巻取機で、タンク１乃至８の中へ引き入れることにより、タンク１乃至８の水位を上昇させ、高さ３１ｍになるとタンク１乃至８から順番に円環状の鉄管の水路１７へ水を流入させ、円環状の鉄管の水路１７と連結してある、円環状の鉄管の水路１８を通して反動形水車に落下させる段階であり、第二段階は落下した水を、高さ3mのタンク１０にプールし、開放型上掛け水車に流入させる段階である。
〔図１〕乃至〔図１０〕を参照して、本考案の実施の形態を詳述する。
〔図１〕は、貯水装置の全体図の概念図である。
周囲を河川の水を引き込んだ水路に囲まれ、タンク１乃至８の中心にあり、汲み上げた水が３０ｍまでプールしてある高さ３２ｍの円筒形のタンク９と、
タンク９を取り囲む形に設置されているタンク１乃至８と、
タンク１乃至８の頭上に設置されているフックから吊り下げられている、空気が詰め込まれた4個のゴム袋と、
タンク９の外縁に、同心円状に設けてある円環状の鉄管の水路１７と，
円環状の鉄管の水路１７と連結してある水路９の位置から、水路１６へ向かって、緩やかな下り勾配で、タンク９の周囲を一周して、水路９の直下の位置で、45度の角度で降下して、反動形水車に接続された円環状の鉄管の水路１８と、
落下した水を、高さ3mの位置にプールしてあるタンク１０と、
タンク１０の水を開放型上掛け水車に流入させる概念図である。
〔図２〕は、河川敷に設置されている八角形に区画配分された８分の一のそれぞれの土地に設置されている、高さが３７ｍのタンク１乃至８の平面図である。
〔図３〕は、タンク１の外壁の流入口１の上方に位置する部分に設けられた、電磁石Ａ、Ｂで開閉するゲート１の側面図である。
〔図４〕は、タンク１に連結されている円環状の鉄管の水路１と，タンク１と，タンク９の外縁に、円環状の鉄管の水路１７に連結されている円環状の鉄管の水路９の側面図である。
〔図５〕は、タンク１の頭上に設置されているフック１と、途中に、空気が詰め込まれた4個のゴム袋を吊り下げ、タンク１の底面部に設けた、そらせ車の側面図である。
〔図６〕は、  ゴム袋４個を、タンク１の中に沈めると体積が増加し、タンク１の水が円環状の鉄管の水路１７へ流入される概念図である。
〔図７〕は、タンク１乃至８から3０秒遅れで順番に、円環状の鉄管の水路１７へ水が流入される概念図である。
〔図８〕は、タンク９の外縁に、同心円状に設置された円環状の鉄管の水路１７の平面図である。
〔図９〕は、水路９から水路１６へ向かって緩やかな下り傾斜で流れ、同心円状にタンク９を一周して、水路９の流入部の直下の位置から反動形水車に接続された円環状の鉄管の水路１８の概念図である。
〔図１０〕は、落下した水を開放型上掛け水車に流入させるように流路が配列されている正面図である。
タンク９への貯水は、タンク１乃至８のゲート１乃至８及びゲート９乃至１６が閉ざされた状態になっていることを確認後、タンク９の高さ３０ｍの地点まで、８０台の真空ポンプにより、水路の水が、高さ３２ｍ、半径２０ｍの円筒形のタンク９の高さ３０ｍの地点まで吸い上げられ貯水される。
タンク９の高さ３０ｍの地点までの貯水量は、３７，６８０立方メートルである。
〔図１〕は、貯水装置の全体図の概念図であり、〔図２〕は、河川敷に設置されている八角形に区画配分された８分の一のそれぞれの土地に設置されている、高さが３７ｍのタンク１乃至８の平面図である。
タンク９の貯水完了が確認されると、貯水されたタンク９の水はタンク１へ流入され、８０台の真空ポンプは、引き続きタンク９へ水を吸い上げ貯水している。
タンク１乃至８への水の流入を説明する。
今、タンク１の内部は空である。
流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開き、タンク９の水は円環状の鉄管の水路１を通ってタンク１へ流入する。
タンク１と連結してある円環状の鉄管の水路１は、高さ２８ｍにあるのでタンク１には、５、４８８立方メートルの水が流入可能である。
タンク１に貯水された水が２７．８ｍまで上がってくると、電磁石Ｂのスイッチがオンになり、タンク１の外壁の流入口１の上方に位置する部分に設けられた、Ｔ字形の可動鉄心１が電磁石Ｂに吸引されて、下方へ２ｍ移動し、可動鉄心１に繋がっているゲート１が、ゲート１の左右両端に設けられているガイドレールの中を通って、下方へ２ｍ移動し、流入口１が閉められ、円環状の水路１からの流入は、ストップする。
〔図３〕は、タンク１の外壁の流入口１の上方に位置する部分に設けられた、電磁石Ａ、Ｂで開閉するゲート１の側面図である。
タンク１の水位が、２７．８ｍで、タンク９の水が高さ３０ｍの地点まで貯水されていることが確認されると、タンク２にタンク９から水を流入させ、タンク２の水位を２７．８ｍとし、８０台の真空ポンプにより、タンク９には３０ｍまで貯水する。
同様にして、タンク９の水はタンク２から順番にタンク８まで流入し、８０台の真空ポンプは、引き続きタンク９へ水を吸い上げ、タンク１乃至８の水位は２７．８ｍ、タンク９の水位を３０ｍの状態にする。
〔図４〕は、タンク１に連結されている円環状の鉄管の水路１と，タンク１と，タンク９の外縁に、円環状の鉄管の水路１７に連結されている円環状の鉄管の水路９の側面図である。
以上がタンク９の水を円環状の鉄管の水路１乃至８を通して、タンク１乃至８へ流入させる説明である。
タンク１の水を、タンク９の外縁に、同心円状に設けられた円環状の鉄管の水路１７に流入するメカニズムを説明する。
タンク１のゲート９が閉ざされた状態になっていることを確認後、機械室の空気圧モーターに接続されている巻取機１のスイッチをオンにして、ゴム袋４個を、タンク１の中に毎秒５２ｃｍのスピードで２０ｍ引き下げると、タンク１の体積は、毎秒８０立方メートル増え、引き下げが終了すると、３０７７立方メートルの体積が増える。
ゴム袋４個を沈めて、８.５秒経過するとゴム袋は４.１ｍ沈み、タンク１の水位は３１ｍになる。
タンク１の水位が３１ｍであることが確認されると、電磁石Ｃのスイッチがオンになり、Ｔ字形の可動鉄心９が電磁石Ｃに吸引されて、上方へ５ｍ移動し、可動鉄心９に繋がっているゲート９が、ゲート９の左右両端に設けられているガイドレールの中を通って、上方へ５ｍ移動し、流入口９が開けられ、ゴム袋４個の沈下開始８.５秒以降のゴム袋の沈下による増加した体積に等しい毎秒８０立方メートルの水が、３０秒間、上部が３１ｍの位置、下部が２６ｍの部分で連結された円環状の鉄管の水路９に流入し、水路９の水はタンク９の外縁に同心円状に設けてある、円環状の鉄管の水路１７に流入する。
〔図５〕は、タンク１の頭上に設置されているフック１と、途中に、空気が詰め込まれた4個のゴム袋を吊り下げ、タンク１の底面部に設けた、そらせ車の側面図であり、〔図６〕は、  ゴム袋４個を、タンク１の中に沈めると体積が増加し、タンク１の水が円環状の鉄管の水路１７へ流入される概念図である。
タンク１から円環状の鉄管の水路１７に流入後、3０秒経過すると、ゴム袋の沈下は完了する。
同様にタンク２に設置されたゴム袋４個をタンク２の中に沈める作業を行い、タンク８まで順に行われるが、一つのタンクの流入運動のサイクルは４分間隔で、各々のスタートは3０秒遅れにしてある。
即ち、タンク１のゴム袋４個をタンク１の中に沈めて3０秒遅れて、タンク２のゴム袋が沈められる。
タンク８まで順次3０秒遅れで沈められ、タンク８の作業の後には、タンク１の作業が再開され、各々のタンクから、タンク９の外縁に同心円状に設けてある、円環状の鉄管の水路１７への流入は、切れ目なく続き、８つのタンクから、円環状の鉄管の水路１７へは、毎秒８０立方メートル、４分間に１９，２００立方メートルの水が流入していることになる。
〔図７〕は、タンク１乃至８から3０秒遅れで順番に、円環状の鉄管の水路１７へ水が流入される概念図  である。
以上がタンク１の水を、タンク９の外縁に、同心円状に設けられた円環状の鉄管の水路１７に流入するメカニズムであるが、タンク１に再度水を貯水するメカニズムを説明する。
タンク１の中に、ゴム袋４個が引き下げられ始めて３８.５秒後、電磁石Ｄのスイッチがオンになり、Ｔ字形の可動鉄心９が電磁石Ｄに吸引されて、下方へ５ｍ移動し、可動鉄心９に繋がっているゲート９が、ゲート９の左右両端に設けられているガイドレールの中を通って、下方へ５ｍ移動し、流入口９が閉ざされると共に、ゴム袋４個は、毎秒５２ｃｍのスピードで引き上げられ、タンク１の水位は、低下し始める。
ゴム袋４個が完全に２０ｍ引き上げられるとタンク１の水位は、１５.７ｍだけ低下し、１５.３ｍとなる。
ゴム袋４個が引き上げられ始めて３８.５秒後、流入口１の上方に設けられた電磁石Ａのスイッチがオンになり、Ｔ字形の可動鉄心１が電磁石Ａに吸引されて、上方へ２ｍ移動し、可動鉄心１に繋がっているゲート１が、ゲート１の左右両端に設けられているガイドレールの中を通って、上方へ２ｍ移動し、流入口１が開けられ、タンク９の水を円環状の鉄管の水路１を経由して、タンク１へ流入させ、タンク１の水位が２７.８ｍになったことを確認後、電磁石Ｂのスイッチがオンになり、流入口１が閉められ、円環状の水路１からの流入は、ストップする。
前回のゴム袋を引き下げた作業の4分後に、ゴム袋を引き下げる循環運動が開始される。
尚、前述の８０台の真空ポンプは、貯水路の水をタンク９に吸い上げており、タンク９の水位は３０ｍになるように、コンピューターで監視されている。
以上が、タンク１に再度水を貯水するメカニズムである。
タンク１の水が円環状の鉄管の水路１７へ流入して、反動形水車に導かれるメカニズムを説明する。
タンク９の外縁に同心円状に設けてある、円環状の鉄管の水路１７は、同心円状にタンク９を取り囲み、鉄管の水路９から、水路１６へ向かって、緩やかな下り勾配で、設置されている。
円環状の水路１７へ流入した水は、水路９から、水路１６へ向かって、緩やかな下り傾斜で流れ、同心円状にタンク９を一周して、水路９の直下の位置から45度の角度で降下して、タンク９とタンク１の間を通る反動形水車に接続された円環状の鉄管の水路１８を通って、25ｍ下の反動形水車に導かれ、1秒間に８０立方メートルの水の量を、約３０秒間落下させる。
タンク１の流入開始３０秒後、タンク２の流入が開始され、以降、タンク８まで順番に3０秒づつ、毎秒８０立方メートルの水が合計４分間流入し、４分経過して、タンク８の流入が終了すると、タンク１の流入が再開され、タンク１乃至８からの水は、切れ目なくに水路１７に導かれ、毎秒８０立方メートルに流量制限され放出された水は、タンク９から45度の角度で降下している、タンク９とタンク１の間を通る円環状の鉄管の水路１８を通って、25ｍ下の反動形水車に落下する。
〔図８〕は、タンク９の外縁に、同心円状に設置された円環状の鉄管の水路１７の平面図である。
この時の発電量の推定値は、ロス率の合計を３３％として、9.8Ｇ*２５ｍ*８０ｍ３/ｓ*６７％
＝１３，１３２ＫＷであり、約１３、０００ＫＷの発電は可能である。
〔図９〕は、水路１７が、同心円状にタンク９を一周して、水路９の直下の位置で、タンク９とタンク１の間を通って、円環状の鉄管の水路１８に接続されている概念図である。
反動形水車を通過した水は高さ3mのタンク１０にプールされ開放型上掛け水車を発電させる流路に流入され、開放型上掛け水車を発電させる。
〔図１０〕は、落下した水を開放型上掛け水車に流入させるように流路が配列されている正面図である。
【図面の簡単な説明】
【００１０】
【図１】は、貯水装置の全体図の概念図である。
【図２】は、高さが３７ｍのタンク１乃至８の平面図である。
【図３】は、電磁石Ａ、Ｂで開閉するゲート１の側面図である。
【図４】は、タンク１に連結されている円環状の鉄管の水路１と，タンク１と円環状の鉄管の水路１７に連結されている円環状の鉄管の水路９の側面図である。
【図５】は、フック１と、4個のゴム袋を吊り下げ、タンク１の底面部に設けた、そらせ車の側面図である。
【図６】は、ゴム袋４個を、タンク１の中に沈めると体積が増加し、タンク１の水がタンク９と円環状の鉄管の水路１７へ流入される概念図である。
【図７】は、タンク１乃至８から3０秒遅れで順番にタンク９と、円環状の鉄管の水路１７へ水が流入される概念図である。
【図８】は、タンク９の外縁に、同心円状に設置された円環状の鉄管の水路１７の平面図である。
【図９】は、同心円状にタンク９を一周して、水路１７の直下の位置から反動形水車に接続された円環状の鉄管の水路１８の概念図である。
【図１０】は、落下した水を開放型上掛け水車に流入させるように流路が配列されている正面図である。
【図１】
0003126213.tif 000003
【図２】
0003126213.tif 000004
【図３】
0003126213.tif 000005
【図４】
0003126213.tif 000006
【図５】
0003126213.tif 000007
【図６】
0003126213.tif 000008
【図７】
0003126213.tif 000009
【図８】
0003126213.tif 000010
【図９】
0003126213.tif 000011
【図１０】
0003126213.tif 000012